(57)【特許請求の範囲】
【請求項１】
携帯電話及び小物設置パネル（３）の裏面に取り付けピン金具（４）と取り            付けピン金具止め（５）を設け、衣服に留めて携帯電話及び小物設置パネル          （３）に携帯電話（６）を設置して使用でき、又携帯電話及び小物設置パネル          （３）に設けてある小物差込口（２）に小物（７）を差し込んで使用する、胸            部及び上肩部に携帯する携帯電話装備具兼小物ホルダー（１）。
【発明の詳細な説明】
【技術分野】
【０００１】
本発明は携帯電話を手放しで通話できるおしゃれな携帯電話装備具兼小物ホルダー（１）である。携帯電話及び小物設置パネル（３）とそれに伴う小物差込み口（２）と取付けピン金具(４)と取付けピン金具止め(５)から構成されている。
【背景技術】
【０００２】
従来手放しで携帯電話を通話できる器具はイヤホンと前回特許を取得した特許第４７１３６７２号にはなく、この発明を改良した物である。
【先行技術文献】
【特許文献】
【０００３】
【特許文献１】特開２００２−２７０７１号  公報
【特許文献２】特許番号 第４７１３６７２号
【発明の概要】
【発明が解決しようとする課題】
【０００４】
特開平２００２−２７０７１号では耳たぶに電話機をかけて通話する様になっているが、大変煩わしく又、電話機の重量で耳から電話機がずり落ちるのでないかと考える。携帯電話を耳の近くに装備していないので、着信音が分かりにくく、即電話に出ることが出来ない等の難点がある。又、特許第４７１３６７２号については、携帯電話装着ベルトがあるため大変煩わしく、美的スタイルからも取付けベルトをなくして、これらの問題点を解消し、長電話の場合や忙しい時、通話をしながら他の用事をするため。
特徴利点  イ.通話中手放し通話出来、両手が空くので電話機を持って通話する煩わ
しさがなく、話しながら事務その他の用事が出来る。
ロ.着信音が鳴った時、雑音や騒音中でもすぐ分かり携帯電話を
探す必要なく即、応答出来る。  
ハ.携帯電話の装着スタイルが良く携帯電話の忘れ防止になる。
ニ.小物ホルダーとしても使用できる。
【課題を解決するための手段】
【０００５】
胸部に取り付けた携帯電話装備具兼小物ホルダー（１）の携帯電話設置バ
ネル（３）に携帯電話を差し込む。又小物差込み口（２）に小物を差込み使      
用する。                                          
【０００６】
携帯電話装備具兼小物ホルダー(１)を衣服に取付けピン金具(４)，取付けピン金具止め(５)で止め、携帯電話及び小物設置パネル（３）に携帯電話を差し込めば、着信音がなるとすぐに通話ボタンを押す事ができ、手放し通話が出来る。又、携帯電話及び小物差込み口（２）に小物を差し込めば小物ホルダーとしても使用出来る。
【発明の効果】
【０００７】
本発明は下記の通りである。
(ａ)携帯電話（６）、小物(７）を胸に止めることを主体とした携帯電話装備          
具兼小物ホルダー(１)。
(ｂ)携帯電話を携帯電話装備具兼小物ホルダー(1)の携帯電話及び小物差込み
パネル（３）に携帯電話（６）を差込み使用する。又小物差込み口（２）
に小物を差込み使用出来る事を特長とする、(ａ)に記載の携帯電話装備具兼
小物ホルダー。
(ｃ)前記、携帯電話装備具兼小物ホルダー(１)に取付けピン金具(4)があるこ  
と取付けピン金具止め(５)があることを特徴とする。    
（ｂ）又は（ｃ）いずれかに記載の携帯電話装備具兼小物ホルダー（１）、
携帯電話(６)、又は小物(７）の装着スタイルが良く、携帯電話（６）は、
雑踏の中でも騒音の中でも着信音がすぐ分かり、携帯電話（６）及び小
物（７）はすぐに取り出す事ができ、携帯電話（６）や、小物（７）を
探すことなくすぐ対応出来る。手放し通話が出来、携帯電話や小物の忘れ
坊止、防犯予防にも役立つ。             
【図面の簡単な説明】
【０００８】
【図１】携帯電話装備具兼小物ホルダー表側図
【図２】携帯電話装備具兼小物ホルダー裏面図
【図３】携帯電話装備具兼小物ホルダー携帯電話差込み図
【図４】携帯電話装備具兼小物ホルダー携帯電話差込み完了図
【図５】携帯電話装備具兼小物ホルダー小物差込み図
【図６】携帯電話装備具兼小物ホルダー小物差し込み完了図
【図７】携帯電話装通話図備具兼小物ホルダーに携帯電話を装着しての自動                車運転中の手放し通話図
【図８】携帯電話装備具兼小物ホルダーに小物を差し込んで装着している図
【発明を実施するための形態】
【０００９】
図１は携帯電話及び小物設置パネル（３）表側形状である。
小物(７)を小物差込み口(２)に挿入して使用する。携帯電話(６)及び                  小物設置パネル(３)の下部分が携帯電話(６)及び小物(７)の落下を防ぐ為に            受皿状に成っている。
（１）携帯電話装備具兼小物ホルダー
（２）小物差込み口
（３）携帯電話及び小物設置パネル
【００１０】
図２は携帯電話及び小物設置パネル(３)裏側形状である。
（１）携帯電話装備具兼小物ホルダー
(３)  携帯電話及び小物設置パネル
(４)  取付けピン金具
(５)  取付けピン金具止め
携帯電話装備具兼小物ホルダー(１)の裏面の上部の所に取付けピン金          
具(４)と取付けピン金具止め(５)が付いていて、衣服にピンで留めて    
使用する。
【００１１】
図３は携帯電話(６)の携帯電話装備具兼小物ホルダー（１)えの差込み図で            ある。携帯電話装備具兼小物ホルダー（１）の材質は特にこだわらない。
（１） 携帯電話装備具兼小物ホルダー
(３)  携帯電話及び小物設置パネル
(６)  携帯電話
図４は携帯電話装備具兼小物ホルダー（１）の携帯電話（６）の差込み完          
了図である。必要に応じてすぐ取り出せる。
（１）携帯電話装備具兼小物ホルダー
(２)  小物差込み口
(３)  携帯電話及び小物設置パネル
(６)  携帯電話
【００１２】
図５は携帯電話装備具兼小物ホルダー(１)に、小物（７）差込み図である。
（１）携帯電話装備具兼小物ホルダー
（２）小物差込み口
（３）携帯電話及び小物設置パネル
（７）小物                
【００１３】
図６は携帯電話装備具兼小物ホルダー(１)に小物（７）差し込み完了      
図。右胸又は左胸に携帯電話装備具兼小物ホルダー(１)に取付けピ  
ン金具(４)を、取付けピン金具止め(５)に止め、小物差込み口(２)
に小物(７)を差込み、必要に応じてすぐ取り出せる。
（１）携帯電話装備具兼小物ホルダー
（２）小物差込み口
（３）携帯電話及び小物設置パネル
（７）小物
【００１４】
図７は携帯電話装備具兼小物ホルダー(１)に携帯電話（６）を装着し
ての自動車運転中の手放し通話図である。
（１）携帯電話装備具兼小物ホルダー
（６）携帯電話
【００１５】
図８は携帯電話装備具兼小物ホルダー(１）に小物（７）を差し込ん  
て使用している図。
携帯電話装備具兼小物ホルダー（１）に使用する携帯電話及び小物設                  置パネル(３）及び小物差込み口（２）の材質は特にこだわらない。  
又取付けピン金具（４）及び取付けピン金具止めは金属の物を使用す
る。  
胸部に携帯電話装備具兼小物ホルダー(１）に取付けピン金具（４）  
を取付けピン金具止め(５）に止め、小物差込み口(２)に小物（７）
を差込み必要に応じてすぐに取り出せる。
（１）携帯電話装備具兼小物ホルダー
（７）小物      
【符号の説明】
【００１６】
１携帯電話装備具兼小物ホルダー
２小物差込み口
３携帯電話及び小物設置パネル
４取付けピン金具
５取付けピン金具止め
６携帯電話
７小物
【要約】      （修正有）【課題】手放しで通話でき、装着スタイルの良い携帯電話装備具兼小物ホルダーを提供する。【解決手段】右又は左の胸部に携帯電話装備具兼小物ホルダー１を取付けピン金具４を取付けピン金具止め５に止め、手放し通話を可能にし雑踏の騒音の中でも即着信音が分かり応答を可能にした。通話中手放し通話出来、両手が空くので電話機を持って通話する煩わしさがなく、話しながら事務その他の用事が出来る。着信音が鳴った時、雑音や騒音中でもすぐ分かり携帯電話を探す必要なく即、応答出来る。携帯電話の装着スタイルが良く携帯電話の忘れ防止になる。小物ホルダーとしても使用できる。【選択図】図２【図１】
0005457586.tif 000002
【図２】
0005457586.tif 000003
【図３】
0005457586.tif 000004
【図４】
0005457586.tif 000005
【図５】
0005457586.tif 000006
【図６】
0005457586.tif 000007
【図７】
0005457586.tif 000008
【図８】
0005457586.tif 000009